(57)【要約】【課題】  高画質で、かつトランスコードに必要な演算処理量を低減することができるようなトランスコード方法、及び装置を提供する。【解決手段】  記録再生装置１００は、エンコーダ１０１、トランスコーダ１０２、中間情報格納メモリ１０５、ストリーム格納メモリ１０６、圧縮伸張手段１０７、入力画格納メモリ１０８、ユーザインタフェース１１０を有して構成される。エンコーダ１０４において第２の圧縮符号化方式で符号化を行う際には、前記中間情報を中間情報格納メモリ１０５から読み出し、利用可能な形式に加工して、第２の圧縮符号化方式で符号化するときに利用する。【選択図】  図１
2011050104.tif 000002
【特許請求の範囲】
【請求項１】
第１の符号化映像信号を第２の符号化映像信号に変換する符号化映像信号変換方法であ
って、
入力信号を第１の圧縮符号化方式で圧縮し、
前記第１の圧縮符号化方式で圧縮した符号化映像信号を第２の圧縮符号化方式に変換す
る前に発生する符号化中間情報を記憶し、
前記第１の圧縮符号化方式で変換した符号化映像信号を第２の圧縮符号化方式に変換す
る際に、前記記憶した符号化中間情報を用いる符号化映像信号変換方法。
【請求項２】
請求項１記載の符号化映像信号変換方法であって、
前記符号化中間情報は、前記入力信号を第１の圧縮符号化方式で圧縮する際に発生する
符号化中間情報である符号化映像信号変換方法。
【請求項３】
請求項２記載の符号化映像信号変換方法であって、
前記符号化中間情報は動きベクトル及び／又は量子化値及び／又は輝度変化の統計値及
び／又はレート遷移の統計値である符号化映像信号変換方法。
【請求項４】
請求項１記載の符号化映像信号変換方法であって、
前記符号化中間情報は、前記入力信号を第１の圧縮符号化方式で圧縮した映像信号を復
号する際に発生する符号化中間情報である符号化映像信号変換方法。
【請求項５】
請求項４記載の符号化映像信号変換方法であって、
前記符号化中間情報は動きベクトル及び／又は量子化値及び／又は輝度変化の統計値及
び／又はレート遷移の統計値である符号化映像信号変換方法。
【請求項６】
請求項４記載の符号化映像信号変換方法であって、
前記映像信号の復号は、映像信号の再生表示する際の復号動作である符号化映像信号変
換方法。
【請求項７】
請求項４記載の符号化映像信号変換方法であって、
前記映像信号の復号は、アイドリング状態の復号動作である符号化映像信号変換方法。
【請求項８】
第１の符号化映像信号を第２の符号化映像信号に変換する符号化映像信号変換方法であ
って、
入力された第１の圧縮符号化方式で圧縮した符号化映像信号を復号する際に発生する符
号化中間情報を記憶し、
前記第１の圧縮符号化方式で変換した符号化映像信号を第２の圧縮符号化方式に変換す
る際に、前記記憶した符号化中間情報を用いる符号化映像信号変換方法。
【請求項９】
請求項８記載の符号化映像信号変換方法であって、
前記符号化中間情報は動きベクトル及び／又は量子化値及び／又は輝度変化の統計値及
び／又はレート遷移の統計値である符号化映像信号変換方法。
【請求項１０】
請求項８記載の符号化映像信号変換方法であって、
前記映像信号の復号は、映像信号の再生表示する際の復号動作である符号化映像信号変
換方法。
【請求項１１】
請求項８記載の符号化映像信号変換方法であって、
前記映像信号の復号は、アイドリング状態の復号動作である符号化映像信号変換方法。
【請求項１２】
第１の符号化映像信号を第２の符号化映像信号に変換する符号化映像信号変換装置であ
って、
入力信号を第１の圧縮符号化方式で圧縮する第１の圧縮手段と、
前記第１の圧縮手段が圧縮した符号化映像信号を第２の圧縮符号化方式に変換する前に
発生する符号化中間情報を記憶する記憶手段と、
前記第１の圧縮手段で変換した符号化映像信号を第２の圧縮符号化方式に変換する符号
化方式変換手段と、を有し、
前記第１の圧縮手段で圧縮した符号化映像信号を前記符号化方式変換手段で変換する際
に、前記記憶手段が記憶する符号化中間情報を用いる符号化映像信号変換装置。
【請求項１３】
請求項１２記載の符号化映像信号変換装置であって、
前記符号化中間情報は、前記入力信号を第１の圧縮符号化方式で圧縮する際に発生する
符号化中間情報である符号化映像信号変換装置。
【請求項１４】
請求項１３記載の符号化映像信号変換装置であって、
前記符号化中間情報は動きベクトル及び／又は量子化値及び／又は輝度変化の統計値及
び／又はレート遷移の統計値である符号化映像信号変換装置。
【請求項１５】
請求項１２記載の符号化映像信号変換装置であって、
前記符号化中間情報は、前記入力信号を第１の圧縮符号化方式で圧縮した映像信号を復
号する際に発生する符号化中間情報である符号化映像信号変換装置。
【請求項１６】
請求項１５記載の符号化映像信号変換装置であって、
前記符号化中間情報は動きベクトル及び／又は量子化値及び／又は輝度変化の統計値及
び／又はレート遷移の統計値である符号化映像信号変換装置。
【請求項１７】
請求項１５記載の符号化映像信号変換装置であって、
前記映像信号の復号は、映像信号の再生表示する際の復号動作である符号化映像信号変
換装置。
【請求項１８】
請求項１５記載の符号化映像信号変換装置であって、
前記映像信号の復号は、アイドリング状態の復号動作である符号化映像信号変換装置。
【請求項１９】
第１の符号化映像信号を第２の符号化映像信号に変換する符号化映像信号変換装置であ
って、
入力された第１の圧縮符号化方式で圧縮された符号化映像信号を復号する際に発生する
符号化中間情報を記憶する記憶手段と、
前記第１の圧縮手段で変換した符号化映像信号を第２の圧縮符号化方式に変換する符号
化方式変換手段と、を有し、
前記第１の圧縮手段で圧縮した符号化映像信号を符号化方式変換手段で変換する際に、
前記記憶手段が記憶する符号化中間情報を用いる符号化映像信号変換装置。
【請求項２０】
請求項１９記載の符号化映像信号変換装置であって、
前記符号化中間情報は動きベクトル及び／又は量子化値及び／又は輝度変化の統計値及
び／又はレート遷移の統計値である符号化映像信号変換装置。
【請求項２１】
請求項１９記載の符号化映像信号変換装置であって、
前記映像信号の復号は、映像信号の再生表示する際の復号動作である符号化映像信号変
換装置。
【請求項２２】
請求項１９記載の符号化映像信号変換装置であって、
前記映像信号の復号は、アイドリング状態の復号動作である符号化映像信号変換装置。
【発明の詳細な説明】
【技術分野】
【０００１】
本発明は、ある符号化方式で符号化された符号化映像信号の符号化方式及びビットレー
トを変換する変換方法及び装置に関する。
【背景技術】
【０００２】
近年の動画像処理技術の急速な発展により、動画像を扱う対象・機器も多岐にわたって
いる。また、動画像のデータ量は一般に非常に大きくなるため、デジタルデータとしての
動画像を扱う場合には、圧縮符号化を行った上で利用に供することが一般的である。
【０００３】
従来、利用目的、ターゲットとする機器に応じた圧縮符号化が用いられているが、異な
る機器間でのデータの共有を目的とし、ある符号化方式で圧縮符号化された動画像データ
を異なる符号化方式に変換するトランスコードが行われている。また、圧縮符号化方式は
変更せず、動画像のサイズやフレームレートを変更したり、圧縮率を高めたりして、用途
に適したビットレートに変換することも行われている。
【０００４】
このような変換は変換元のビットストリームを一旦デコードしてから所望の符号化形式
で再エンコードする方法が採られているが、その際に変換処理の負荷低減のため、トラン
スコード時の中間情報を用いて再エンコードを行う手法が提案されている（特許文献参照
）。
【先行技術文献】
【特許文献】
【０００５】
【特許文献１】特開２００３−２６４８４０号公報
【特許文献２】特開２００３−１１６１０４号公報
【特許文献３】特開２００３−６１０８９号公報
【特許文献４】特開２００２−３２０２２８号公報
【特許文献５】特開２００１−２６８５７８号公報
【発明の概要】
【発明が解決しようとする課題】
【０００６】
しかし、上記従来技術のトランスコードでは、第一のフレームを復号し、この第一の復
号の際に得られる中間情報を、直ちに第一のフレームの符号化に用いているため、未だ復
号化されていない、第二、第三のフレームの中間情報を、第一のフレームの符号化には利
用することができなかった。
【０００７】
本発明の目的は、第一のフレームのトランスコードの再エンコードの際には、第二、第
三のフレームの中間情報を利用可能とする方法及び装置を提供することにある。
【課題を解決するための手段】
【０００８】
第１の符号化映像信号を第２の符号化映像信号に変換する符号化映像信号変換方法であ
って、入力信号を第１の圧縮符号化方式で圧縮し、第１の圧縮符号化方式で圧縮した符号
化映像信号を第２の圧縮符号化方式で変換する前に発生する符号化中間情報を記憶し、第
１の圧縮符号化方式で変換した符号化映像信号を第２の圧縮符号化方式に変換する際に、
記憶した符号化中間情報を用いることとする。
【発明の効果】
【０００９】
高画質なトランスコードやレート変換を実現することができる。
【図面の簡単な説明】
【００１０】
【図１】本発明の第１の実施形態を示した図である。
【図２】本発明の第２の実施形態を示した図である。
【図３】エンコーダ１０４の内部構成を示した図である。
【図４】本発明の第３の実施形態を示した図である。
【図５】中間情報使用／不使用判定手段１０４３における判断の流れを示したフローチャートである。
【発明を実施するための形態】
【００１１】
本発明の第１の実施形態に係る構成を図１に示す。
【００１２】
映像記録再生装置は、入力されたデジタル映像信号を第１の圧縮符号化方式（例えばＭ
ＰＥＧ２）により第１の符号化映像信号に圧縮し、ハードディスクなどのストレージに記
録する。また、この第１の符号化映像信号を復号し、第２の圧縮符号化方式（例えばＭＰ
ＥＧ４）で符号化することにより、ストリーム変換を実現する。
【００１３】
記録再生装置１００は、エンコーダ１０１、トランスコーダ１０２、中間情報格納メモ
リ１０５、ストリーム格納メモリ１０６、ユーザインタフェース１１０を有して構成され
る。ユーザインタフェース１１０は必須のものではなく、ユーザがトランスコーダ１０２
の動作を制御する場合のインタフェースとして使用される。中間情報格納メモリ１０５と
ストリーム格納メモリ１０６は、それぞれ独立した記憶媒体によって構成されていても良
いし、同一の記憶媒体によって構成されていても良い。
【００１４】
エンコーダ１０１は記録再生装置１００外部から入力されたデジタル映像信号を第１の
圧縮符号化方式で符号化し、第１の符号化映像信号を出力する。出力された第１の符号化
映像信号は、ストリーム格納メモリ１０６へ出力され、格納される。また、外部から入力
されたデジタル映像信号をエンコーダ１０１で符号化する際に発生した中間情報は、中間
情報格納メモリ１０５へ出力され、格納される。ここで中間情報とは、エンコード時に求
められた動きベクトル、量子化値あるいは量子化スケール、時間的に前後のフレーム間で
の輝度変化の統計値、ビットレートの時間的な遷移などを指す。
【００１５】
トランスコーダ１０２は、デコーダ１０３、エンコーダ１０４を有して構成される。ス
トリーム格納メモリ１０６から読み出された第１の符号化映像信号は、デコーダ１０３に
供給される。デコーダ１０３は、供給された第１の符号化映像信号をデコードし、デジタ
ル映像信号を出力する。また、デコーダ１０３はデコードされたデジタル映像信号の画像
サイズやフレームレートを変更する機能を有しており、デコーダ１０３から出力されたデ
ジタル映像信号は、第１の符号化映像信号をデコードしたそのままの画像サイズやフレー
ムレートである場合もあれば、デコーダ１０３の内部で適当なサイズにスケーリングされ
たり、適当なフレームレートに調整されたりする場合もある。エンコーダ１０４は、デコ
ーダ１０３から出力されたデジタル映像信号を第２の圧縮符号化方式で符号化し、第２の
符号化映像信号を出力する。ここで、中間情報格納メモリ１０５には第１の圧縮符号化方
式で符号化を行った際の中間情報が格納されており、エンコーダ１０４において第２の圧
縮符号化方式で符号化を行う際には、前記中間情報を中間情報格納メモリ１０５から読み
出し、利用可能な形式に加工して、第２の圧縮符号化方式で符号化するときに利用する。
【００１６】
例えば、第２の圧縮符号化方式がＭＰＥＧ４であるとき、符号化時に動きベクトルを求
めるためには大きな演算量を必要とする。また、動きベクトルを求めるためには時間的に
前後のフレームの画素値が必要であり、これを保持するためのメモリを確保する必要があ
る。本方式では、第１の圧縮符号化方式で圧縮した際の中間情報である動きベクトルを中
間情報格納メモリから読み出し、これを第２の圧縮符号化を行う場合の画像サイズやフレ
ームレートに適合するようにスケーリング・微調整などを行い、第２の圧縮符号化に利用
する。この方法により、動きベクトルを求めるための演算量の低減、フレーム保持メモリ
の節約が可能となる。
【００１７】
また、別の例では、第１の圧縮符号化方式で圧縮した際の中間情報である輝度値の時間
的変化の統計量を利用して、第２の圧縮符号化を行う際のビットレート制御を利用するこ
ともできる。具体的には、輝度値変化の激しい部分には大きな符号量を割り当てず、輝度
変化の小さい部分に符号量を配分することにより、視覚的に高画質な画像となるようなレ
ート制御をかける方法がある。
【００１８】
また、別の例では、第１の圧縮符号化方式で圧縮した際の量子化値や量子化スケール、
あるいはビットレートの遷移を利用して、第2の圧縮符号化を行う際のビットレート制御
を行うこともできる。本実施例では、外部から入力された映像信号を符号化する際に発生
した中間情報がすでに存在するため、ビットレート遷移や量子化値の遷移をフィードバッ
クすることにより、より最適なビットレート制御をすることも可能である。これにより、
第1の圧縮符号化方式で圧縮した際のビットレート遷移に遅延なく追従するようなレート
制御が可能である。
【００１９】
トランスコーダ１０２、及びデコーダ１０３、エンコーダ１０４に対しては、所望の動
作となるよう、ユーザインタフェース１１０を介してユーザ側から制御可能である。具体
的には、エンコーダ１０４のビットレート設定、デコーダ１０３の出力画像サイズ、フレ
ームレートなどが設定可能である。
【００２０】
前出の第１の圧縮符号化方式と第２の圧縮符号化方式は、同一方式であっても良いし、
異なる方式であっても良い。
【００２１】
また、エンコーダ１０１とエンコーダ１０４の一部もしくは全部を共通化するような構
成となっていても良い。
【００２２】
また、第１の圧縮符号化方式で圧縮した際の中間情報は、符号化時には常に記録しても
よいし、符号化時の設定ビットレートがある閾値を超える場合、すなわち高画質で符号化
する場合にのみ中間情報の記録を行ってもよい。ユーザインタフェース１１０を用いて、
中間情報を記録するか否かをユーザが指定してもよい。
【００２３】
本発明の第２の実施形態に係る構成を図２に示す。
【００２４】
映像記録再生装置は、入力されたデジタル映像信号を第１の圧縮符号化方式（例えばＭ
ＰＥＧ２）により第１の符号化映像信号に圧縮し、ハードディスクなどのストレージに記
録する。同時に、入力されたデジタル映像信号自体を圧縮もしくは非圧縮でストレージに
記録する。さらに、第１の符号化映像信号を復号したデジタル映像信号、あるいはストレ
ージに記録されたデジタル映像信号を第２の圧縮符号化方式（例えばＭＰＥＧ４）で符号
化することにより、ストリーム変換を実現する。
【００２５】
記録再生装置１００は、エンコーダ１０１、トランスコーダ１０２、中間情報格納メモ
リ１０５、ストリーム格納メモリ１０６、圧縮伸張手段１０７、入力画格納メモリ１０８
、ユーザインタフェース１１０を有して構成される。ユーザインタフェース１１０は必須
のものではなく、ユーザがトランスコーダ１０２、圧縮伸張手段１０７の動作を制御する
場合のインタフェースとして使用される。中間情報格納メモリ１０５、ストリーム格納メ
モリ１０６、入力画格納メモリ１０８は、それぞれ独立した記憶媒体によって構成されて
いても良いし、同一の記憶媒体によって構成されていても良い。
【００２６】
エンコーダ１０１、中間情報格納メモリ１０５、ストリーム格納メモリ１０６の動作は
、本発明の第１の実施形態と同様であるので、ここでは説明を省略する。
エンコーダ１０１に供給される入力デジタル映像信号は同時に圧縮伸張手段１０７にも供
給される。圧縮伸張手段１０７は、入力デジタル映像信号を非圧縮のまま、またはある圧
縮方式で圧縮した上で入力画格納メモリ１０８に格納する。ここで、圧縮方式とは、前の
フレームとの画素値の差分をエントロピー符号化する方式、左の画素値との差分をエント
ロピー符号化する方式、ＬＺＨやＺＩＰなどの可逆圧縮方式、ＪＰＥＧ、ＧＩＦ、ＰＮＧ
などの非可逆圧縮方式のいずれでも良い。
【００２７】
また、フィルタリング操作などの解析手段により入力デジタル映像信号の特性を判断し
、その特性に応じて適切な圧縮方式を選択する仕組みを設けても良い。例えば、入力デジ
タル信号に対してエッジ抽出のＳｏｂｅｌフィルタ演算を行い、エッジ検出点数の多い画
像、すなわち輝度変化の急峻な箇所の多い画像はＧＩＦやＰＮＧなどの圧縮方式を採用し
、エッジ検出点数の少ない画像、すなわち輝度変化の滑らかな画像に関してはＪＰＥＧ方
式で圧縮を行う、といった切り替えを行う仕組みを組み込んでも良い。
【００２８】
また、入力デジタル映像信号を入力画格納メモリ１０８に格納する際の圧縮・非圧縮の
選択、圧縮方式の選択、圧縮率の選択などは、ユーザインタフェース１１０を介してユー
ザから制御可能である。
【００２９】
トランスコード動作時には、入力画格納メモリ１０８に格納された入力デジタル映像信
号は圧縮伸張手段１０７により読み出され、信号が圧縮されている場合には伸張を行い、
エンコーダ１０４へ供給される。信号が非圧縮の場合には、そのままエンコーダ１０４へ
供給される。ここで、圧縮伸張手段１０７は入力デジタル映像信号の画像サイズやフレー
ムレートを変更する機能を有しており、圧縮伸張手段１０７から出力されたデジタル映像
信号は、第１の符号化映像信号をデコードしたそのままの画像サイズやフレームレートで
ある場合もあれば、圧縮伸張手段１０７において適当なサイズにスケーリングされたり、
適当なフレームレートに調整されたりする場合もある。
【００３０】
トランスコーダ１０２に含まれるデコーダ１０３の動作は、本発明の第１の実施例と同
様であるため、ここでは説明を省略する。
【００３１】
エンコーダ１０４の構成を図３に示す。エンコーダ１０４は、入力切り替え手段１０４
１、エンコード手段１０４２、中間情報使用／不使用判定手段１０４３を有して構成され
る。
入力切り替え手段１０４１には、圧縮伸張手段１０７から供給される入力デジタル映像信
号と、デコーダ１０３から供給される復号デジタル映像信号が供給され、適当に切り替え
られてエンコード手段１０４２へ出力される。入力の切り替え制御はユーザインタフェー
ス１１０を介してユーザが直接制御することが可能である。
【００３２】
エンコード手段１０４２は、入力切替手段１０４１から供給されるデジタル映像信号を
第２の圧縮符号化方式で符号化し、第２の符号化映像信号を出力する。ここで、中間情報
格納メモリ１０５には第１の圧縮符号化方式で符号化を行った際の中間情報が格納されて
おり、エンコーダ１０４において第２の圧縮符号化方式で符号化を行う際には、中間情報
使用／不使用判定手段１０４３が前記中間情報を中間情報格納メモリ１０５から読み出し
、利用可能な形式に加工して、第２の圧縮符号化方式で符号化するときに利用する。この
具体例については、本発明の第１の実施形態と同様であるので、説明を省略する。
中間情報使用／不使用判定手段１０４３は、中間情報を利用して符号化を行うか、中間情
報を参照せずに符号化を行うかの切り替えを行う。切り替えの制御は、ユーザインタフェ
ース１１０を介してユーザ側から制御することができる。
【００３３】
ここで、圧縮伸張手段１０７で非圧縮、あるいは可逆圧縮で入力デジタル映像信号が扱
われていた場合を考えると、入力切り替え手段１０４１で圧縮伸張手段１０７から供給さ
れる入力デジタル映像信号が選択された場合、エンコード手段１０４２に供給されるデジ
タル映像信号は圧縮伸張による画質劣化がまったくないため、非常に高画質なトランスコ
ードを実現することが可能となる。また、本発明の第１の実施形態で説明したのと同様に
、中間情報格納メモリ１０５に格納されたデータを利用することにより、トランスコード
に要する処理量も低減することが可能である。
【００３４】
また、第１の圧縮符号化方式で圧縮した際の中間情報が、中間情報格納メモリ１０５に
存在するかどうかを判別し、中間情報が存在しない場合にのみ中間情報を記録するような
仕組みを設けてもよい。
【００３５】
本発明の第３の実施形態に係る構成を図４に示す。
【００３６】
本実施例は、記録再生装置に入力された第１の符号化方式で符号化された第１の符号化
映像信号をデコードし、第２の符号化方式で符号化することによって第２の符号化映像信
号を生成する。
【００３７】
記録再生装置１００は、トランスコーダ１０２、中間情報格納メモリ１０５、表示手段
１０９、ユーザインタフェース１１０を有して構成される。
【００３８】
第１の符号化映像信号は、記録再生装置１００の外部、例えばストリーム格納メモリ１
０６から入力され、トランスコーダ１０２に供給される。第１の符号化映像信号は、上記
のほか、ＤＶＤメディアなどの外部ストレージ、あるいはインターネットなどから供給さ
れる場合もありうる。
【００３９】
トランスコーダ１０２は、デコーダ１０３、エンコーダ１０４を有して構成される。
ストリーム格納メモリ１０６から読み出された第１の符号化映像信号は、デコーダ１０３
に供給される。デコーダ１０３は、供給された第１の符号化映像信号をデコードし、デジ
タル映像信号を出力する。また、デコーダ１０３はデコードされたデジタル映像信号の画
像サイズやフレームレートを変更する機能を有しており、デコーダ１０３から出力された
デジタル映像信号は、第１の符号化映像信号をデコードしたそのままの画像サイズやフレ
ームレートである場合もあれば、デコーダ１０３の内部で適当なサイズにスケーリングさ
れたり、適当なフレームレートに調整されたりする場合もある。また、デコーダ１０３か
らは、デコードの際に第１の符号化映像信号から抽出された中間情報も同時に出力され、
中間情報格納メモリ１０５に格納される。ここで中間情報とは、復号時に第１の符号化映
像信号から抽出された動きベクトル、量子化値あるいは量子化スケールや、時間的に前後
のフレーム間での輝度変化の統計値、ビットレートの時間的な遷移などを指す。本実施例
においてはデコーダ１０３はトランスコーダ１０２の構成要素として扱われているが、代
わりにトランスコーダ１０２の外部にデコーダを接続し、このデコーダを用いて第1の符
号化映像信号をデコードする構成としてもよい。
【００４０】
エンコーダ１０４は、デコーダ１０３から出力されたデジタル映像信号を第２の圧縮符
号化方式で符号化し、第２の符号化映像信号を出力する。ここで、中間情報格納メモリ１
０５には第１の圧縮符号化信号から抽出された中間情報が格納されており、エンコーダ１
０４において第２の圧縮符号化方式で符号化を行う際には、前記中間情報を中間情報格納
メモリ１０５から読み出し、利用可能な形式に加工して、第２の圧縮符号化方式で符号化
するときに利用する。この具体的な方式については、本発明の第１の実施形態と同様であ
るので、説明を省略する。
【００４１】
デコーダ１０３において第１の圧縮符号化信号をデコードし、同時に中間情報を抽出し
て中間情報格納メモリ１０５に書き込むタイミングは任意であり、例えば、ストリーム格
納メモリ１０６に格納されている第１の圧縮符号化信号をデコードし、表示手段１０９を
介して再生表示するバックグラウンドで中間情報の格納を行っても良いし、表示手段１０
９による表示はせずに中間情報の抽出のみを行っても良い。また、ユーザが全く操作を行
わないアイドリング状態を自動的に判別し、バックグラウンドで中間情報の抽出と格納を
行っても良い。
【００４２】
また、特に再生・表示を行わない場合には、システムが可能な限り高速でデコードを行
い、中間情報の抽出と格納を行っても良い。
【００４３】
エンコーダ１０４は、トランスコードするストリームの中間情報が中間情報格納メモリ
１０５に存在するかどうか不明であるため、中間情報格納メモリ１０５にトランスコード
したいストリームの中間情報が存在するかどうかを判別する機能を備える構成であっても
良い。本構成においては、判定の結果、中間情報があれば、その中間情報を利用してトラ
ンスコードを行う。中間情報がない場合には、中間情報を使用せずにエンコードをしても
良いし、自動的に中間情報を生成した後にその中間情報を利用してトランスコードを行っ
ても良い。さらに、図３における中間情報の使用／不使用判定手段を有し、中間情報の使
用／不使用をユーザに選択させる構成であっても良い。上記判断のフローを図５に示す。
なお、本実施例の応用例としては、トランスコードを行なう際に、トランスコードを所望
するデータ分の中間情報が予め用意されていれば良く、さらには、トランスコード時のデ
コードを、再エンコードのフレームよりも数フレームから数十フレーム先に行うことによ
り、未来の中間情報を使用することができ、例えば、ビットレートの遷移に遅延すること
なく追従することができる。
【符号の説明】
【００４４】
１００  ……記録再生装置
１０１  ……エンコーダ
１０２  ……トランスコーダ
１０３  ……デコーダ
１０４  ……エンコーダ
１０４１……入力切り替え手段
１０４２……エンコード手段
１０４３……中間情報使用／不使用判定手段
１０５  ……中間情報格納メモリ
１０６  ……ストリーム格納メモリ
１０７  ……圧縮伸張手段
１０８  ……入力画格納メモリ
１０９  ……表示手段
１１０  ……ユーザインタフェース
【図１】
2011050104.tif 000003
【図２】
2011050104.tif 000004
【図３】
2011050104.tif 000005
【図４】
2011050104.tif 000006
【図５】
2011050104.tif 000007
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
入力信号を第１の符号化方式と第２の符号化方式とで符号化する符号化方法であって、
前記入力信号を前記第１の符号化方式で符号化し、
前記第１の符号化方式で符号化する際に発生する符号化中間情報を、前記第１の符号化方式で符号化する際に、前記第１の符号化方式で符号化した符号化映像信号とは別に、複数フレーム分記憶し、
前記入力信号を圧縮して記憶し、
前記圧縮して記憶された入力信号を読み出して伸長し、
前記伸長された入力信号を、前記複数フレーム分記憶された符号化中間情報を用いて、前記第２の符号化方式で符号化する、
ことを特徴とする符号化方法。
【請求項２】
請求項１において、
前記符号化中間情報は動きベクトル及び／又は量子化値及び／又は輝度変化の統計値及び／又はレート遷移の統計値である符号化方法。
【請求項３】
請求項１において、
前記圧縮および伸長の方式は、前のフレームとの画素値の差分をエントロピー符号化する方式、左の画素値との差分をエントロピー符号化する方式、ＬＺＨやＺＩＰの可逆圧縮方式、ＪＰＥＧ、ＧＩＦ、ＰＮＧの非可逆圧縮方式のいずれかである符号化方法。
【請求項４】
請求項３において、
前記圧縮および伸長の方式は、エッジ検出点数の多い画像はＧＩＦやＰＮＧの圧縮方式であり、エッジ検出点数の少ない画像はＪＰＥＧ方式であるように切り替えを行なう符号化方法。
【請求項５】
請求項３において、
前記圧縮および伸長の方式は、輝度変化の急峻な箇所の多い画像はＧＩＦやＰＮＧの圧縮方式であり、輝度変化の滑らかな画像はＪＰＥＧ方式であるように切り替えを行なう符号化方法。
【請求項６】
入力信号を第１の符号化方式と第２の符号化方式とで符号化する符号化装置であって、
前記入力信号を前記第１の符号化方式で符号化する第１の符号化部と、
前記第１の符号化部において、前記第１の符号化方式で符号化する際に発生する符号化中間情報を、前記第１の符号化方式で符号化する際に、前記第１の符号化方式で符号化した符号化映像信号とは別に、複数フレーム分記憶する中間情報格納メモリと、
前記入力信号を圧縮し、かつ、前記圧縮された入力信号を伸長する圧縮伸長部と、
前記圧縮伸長部で圧縮された入力信号を記憶する入力信号格納メモリと、
前記入力信号格納メモリから読み出され前記圧縮伸長部で伸長された入力信号を、前記中間情報格納メモリに前記複数フレーム分記憶された符号化中間情報を用いて、前記第２の符号化方式で符号化する第２の符号化部と、
を備えることを特徴とする符号化装置。
【請求項７】
請求項６において、
前記符号化中間情報は動きベクトル及び／又は量子化値及び／又は輝度変化の統計値及び／又はレート遷移の統計値である符号化装置。
【請求項８】
請求項６において、
前記圧縮および伸長の方式は、前のフレームとの画素値の差分をエントロピー符号化する方式、左の画素値との差分をエントロピー符号化する方式、ＬＺＨやＺＩＰの可逆圧縮方式、ＪＰＥＧ、ＧＩＦ、ＰＮＧの非可逆圧縮方式のいずれかである符号化装置。
【請求項９】
請求項８において、
前記圧縮および伸長の方式は、エッジ検出点数の多い画像はＧＩＦやＰＮＧの圧縮方式であり、エッジ検出点数の少ない画像はＪＰＥＧ方式であるように切り替えを行なう符号化装置。
【請求項１０】
請求項８において、
前記圧縮および伸長の方式は、輝度変化の急峻な箇所の多い画像はＧＩＦやＰＮＧの圧縮方式であり、輝度変化の滑らかな画像はＪＰＥＧ方式であるように切り替えを行なう符号化装置。